(57)【特許請求の範囲】
【請求項１】
遊技枠(4)に着脱可能に保持される遊技盤(5)と、この遊技盤(5)に形成されて複数の遊技部品(16〜20)を配置した遊技領域(5a)と、遊技球を発射する発射手段(10)と、発射された遊技球を遊技領域(5a)へ誘導するレール手段(40,41)と、発射手段(10)で発射された遊技球をレール手段(40)へ誘導する発射球誘導部材(35)とを備えた遊技機において、
前記レール手段(40,41)は合成樹脂材料で形成され、且つレール部(40a,41a)と、遊技盤(5)に形成された複数のピン穴に圧入されレール部(40a,41a)を遊技盤(5)に組み付ける為の複数のピン部(40b,41b)とを備え、これらレール部(40a,41a)とピン部(40b,41b)が一体形成され、
前記レール手段(40)のレール部(40a)のうちの下端側部分であって、前記発射手段(10)で発射された遊技球が前記発射球誘導部材(35)からレール部(40a)へ着地する下端側部分の少なくとも上面を被覆するようにレール部(40a)に取り付けられた導電性部材(50)と、
前記レール手段(40)のレール部(40a)への遊技球の着地に起因して発生する静電気ノイズを、前記導電性部材(50)から遊技機外へ誘導するノイズ誘導手段(55)と、
を備えたことを特徴とする遊技機。
【請求項２】
前記発射球誘導部材(35)が導電性部材で構成され、発射球誘導部材(35)と前記レール手段(40)のレール部(40a)の下端側部分に取り付けられた導電性部材(50)との電位差を軽減する電位差軽減手段(57)を設けたことを特徴とする請求項１〜３の何れかに記載の遊技機。
【発明の詳細な説明】
【０００１】
【発明の属する技術分野】
本発明は遊技機に関し、特に、レール手段への遊技球の着地に起因することより発生する静電気ノイズを、遊技機外へ誘導するように構成した遊技機に関する。
【０００２】
【従来の技術】
従来、パチンコ機等の遊技機には、遊技ホールの島構造体に装着される遊技枠、遊技枠に着脱可能に保持される遊技盤、遊技盤に形成されて複数の遊技部品を配置した遊技領域、遊技球を発射する発射手段、発射された遊技球を遊技領域へ誘導するレール手段等が設けられている。遊技部品として、多数の障害釘、風車、入賞手段等があり、発射手段で発射された遊技球は、レール手段に誘導されて遊技領域に投入され、障害釘や風車等によって方向を変えながら落下し、その遊技球が入賞手段に入賞すると遊技球の払い戻しが得られる。
【０００３】
最近では、前記遊技部品として、図柄始動手段、図柄表示手段、可変入賞手段を設け、図柄始動手段が遊技球を検出したことを条件に、図柄表示手段に複数の遊技図柄を例えば３列に夫々変動表示させ、変動停止時の遊技図柄の組合せが特別態様（例えば、「７７７」）になった場合に、その後所定条件を満たすまで、遊技球が入賞し易いように可変入賞手段を開閉制御して、多数の遊技球の払い戻しが一挙に得られるようにした遊技機が主流となっている。
【０００４】
パチンコ機等のレール手段は、遊技盤に組付けられた外レールと内レールを有し、通常、これらレールは夫々ステンレス鋼等の金属材料で形成されている。外レールと内レールの内側に遊技領域が形成され、遊技領域外から発射手段で発射された遊技球が、外レールと内レールの間の球通路を通って遊技領域に投入される。各レールの成形及び遊技盤への組付けについては、帯状のレール基材を適当な長さに切断し、そのレールの一端縁付近に複数の割りピンを適当間隔おきに取付け、レールを遊技領域の外周に沿って湾曲させ、複数の割ピンを遊技盤の複数のピン穴に夫々圧入するようにして行っている。
【０００５】
ところで、図５に示すように、発射手段で発射された遊技球100 は、先ず、発射球誘導部材101 で誘導されてその左端部から飛び出し、外レール102 に乗り移って誘導される。遊技球100 が外レール102 に着地する着地点については、遊技球100 の発射速度の違い等によって、レールの長さ方向に数cm（例えば、３、４cm）程度の幅でバラツキがあることは確かであり、遊技球100 が発射球誘導部材101 から外レール102 に確実に乗り移るようにするために、遊技球100 の外レール102 への着地による摩擦・衝撃を軽減するのに限界があるのも確かである。
【０００６】
発射球誘導部材101 と外レール102 の間に間隙103 を設けてあるのは、発射された遊技球100 が遊技領域まで届かずに失速して戻ってきた場合、その遊技球100 を間隙103 から下側に落下させ、返還通路104 を介して球受け皿に返還するためである。一般に、パチンコ機等にはこのような間隙103 が設けられており、それ故、遊技球100 は間隙103 を飛び越えるように、発射球誘導部材101 からジャンプし外レール102 に着地するようになっている。尚、105 が内レールである。
【０００７】
さて、パチンコ機等の遊技機には、遊技に関連する制御を司る制御装置が設けられ、その制御装置の誤作動を防止して信頼性を確保するためにも、制御装置に悪影響を与える虞があるノイズを発生させないようにする対策が必要である。このノイズとして、遊技球が外レールに着地した際、その着地に起因して発生する静電気ノイズが含まれることが十分に考えられる。
【０００８】
【発明が解決しようとする課題】
従来のパチンコ機等では、発射手段で発射された遊技球が外レールに着地する際、その着地に起因して主に静電気ノイズが発生し、これにより放射ノイズも発生し易くなって遊技に関連する制御を司る制御装置に悪影響を与える虞がある。また、外レールのうち発射された遊技球が何度も繰り返し着地する部分に傷がつき易く、そうなれば、遊技球が外レールでスムースに誘導されなくなること、静電気ノイズが一層発生し易くなること等の虞がある。
【０００９】
一方、従来のパチンコ機等では、金属製のレールの成形と遊技盤への組付けについては、帯状のレール基材を適当な長さに切断し、そのレールの一端縁付近に複数の割りピンを適当間隔おきに取付て、レールを遊技領域の外周に沿って湾曲させ、複数の割りピンを遊技盤の複数のピン穴に夫々圧入して行わなければならないため大変である。尚、外レールのうち発射された遊技球が何度も繰り返し着地する部分に傷がついた場合でも、その部分だけを交換することができず、外レール全体を交換しなければならないため、外レールの組付けを含む交換作業が大変であり、その交換に要するコストも高価になる。
【００１０】
本発明の目的は、レール手段への遊技球の着地に起因して発生する静電気ノイズを遊技機外へ誘導することにより放射ノイズも発生しにくくして、そのノイズが遊技に関連する制御を司る制御装置に悪影響を与えないようにし、また、レール手段の大部分を合成樹脂材料で構成して遊技盤への組付けを容易にし、特にそのような場合に、静電気ノイズを遊技機外部へ誘導する為の構成で以て遊技球の着地点を補強できる遊技機を提供することである。
【００１１】
【課題を解決するための手段】
請求項１の遊技機は、遊技枠に着脱可能に保持される遊技盤と、この遊技盤に形成されて複数の遊技部品を配置した遊技領域と、遊技球を発射する発射手段と、発射された遊技球を遊技領域へ誘導するレール手段と、発射手段で発射された遊技球をレール手段へ誘導する発射球誘導部材とを備えた遊技機において、前記レール手段は合成樹脂材料で形成され、且つレール部と、遊技盤に形成された複数のピン穴に圧入されレール部を遊技盤に組み付ける為の複数のピン部とを備え、これらレール部とピン部が一体形成され、前記レール手段のレール部のうちの下端側部分であって、前記発射手段で発射された遊技球が前記発射球誘導部材からレール部へ着地する下端側部分の少なくとも上面を被覆するようにレール部に取り付けられた導電性部材と、前記レール手段のレール部への遊技球の着地に起因して発生する静電気ノイズを、前記導電性部材から遊技機外へ誘導するノイズ誘導手段とを備えたことを特徴とするものである。
【００１２】
この遊技機では、遊技枠に着脱可能に保持される遊技盤と、この遊技盤に形成されて複数の遊技部品を配置した遊技領域が設けられ、発射手段により遊技球が発射されると、その遊技球が発射球誘導部材によりレール手段へ誘導され、レール手段により遊技領域へ誘導される。レール手段のレール部のうちの発射手段で発射された遊技球が発射球誘導部材からレール部へ着地する下端側部分の少なくとも上面に導電性部材が設けられ、レール手段のレール部の下端側部分への遊技球の着地に起因して静電気ノイズが発生した場合でも、その静電気ノイズがノイズ誘導手段により導電性部材から遊技機外へ誘導される。ノイズ誘導手段は、例えば、導電性部材をアースして構成される。
【００１３】
このように、レール手段のレール部への遊技球の着地に起因して静電気ノイズが発生しても、その静電気ノイズを遊技機外部へ誘導することができるため、放射ノイズも発生しにくくなり、そのノイズが遊技に関連する制御を司る制御装置に悪影響を与えないようにすることができる。レール手段は合成樹脂材料で構成され、且つレール部と遊技盤の複数のピン穴に圧入されるピン部を一体形成して備えており、本発明の作用をより効果的に発揮させることができる。即ち、レール手段の構成を簡単にして遊技盤への組付けを容易に行うことができると共に、その結果レール手段の耐久性が低下した場合でも、前記導電性部材により遊技球の着地点付近であるレール部の下端側部分を補強して耐久性を高めることが可能になる。
【００１６】
請求項２の遊技機は、請求項１の発明において、前記発射球誘導部材が導電性部材で構成され、前記発射球誘導部材と前記レール手段のレール部の下端側部分に取り付けられた導電性部材との電位差を軽減する電位差軽減手段を設けたことを特徴とするものである。
【００１７】
発射球誘導部材を導電性部材で構成し、発射球誘導部材とレール手段のレール部の下端側部分に取り付けた導電性部材との電位差を電位差軽減手段により軽減するので、レール手段の下端側部分への遊技球の着地に起因する静電気ノイズの発生を抑制することが可能となる。また、発射球誘導部材、又は、発射球誘導部材に接触している遊技球に帯電している静電気を、ノイズ誘導手段を介して遊技機外部へ誘導することもでき、この静電気によって生じる悪影響を阻止できる。
【００１８】
【発明の実施の形態】
以下、本発明の実施の形態について図面を参照しながら説明する。本実施形態は、レール手段である外レールと内レールの内側の遊技領域に、図柄始動手段、図柄表示手段、可変式入賞手段、複数の入賞手段等を設けたパチンコ機に本発明を適用した場合の一例である。尚、パチンコホールに設けられた島構造体に、その長さ方向に複数のパチンコ機１が配設され、各パチンコ機１の左側にカード式貸出し装置２が配設され、各カード式貸出し装置２は右側のパチンコ機１に電気的に接続されている。
【００１９】
図１、図２に示すように、カード式弾球遊技機であるパチンコ機１は、矩形枠状の外枠３と、外枠３に開閉自在に枢着された前枠４を有し、外枠３が島構造体（図示略）に着脱自在に装着されている。前枠４（遊技枠に相当する）に遊技盤５が裏側から着脱可能に保持され、遊技盤５の前側に窓部６ａを有するガラス扉６と、上皿８を取付けた前面板７が夫々開閉自在に枢着されている。前枠４の下部において前面板７の下側に、上皿８から溢流し又は抜き取った遊技球Ｂを貯留する下皿９が固定的に設けられ、この下皿９の右側に遊技球Ｂを発射する発射手段１０の発射ハンドル３０が取付けられている。
【００２０】
上皿８の前面部の右部には、カード式貸出し装置２に対する球貸し操作用の操作パネル１４が設けられ、この操作パネル１４に、カード式貸出し装置２に挿入されている球貸カード（図示略）の度数残高を最大３桁の数字で表示可能な残高表示部１４ａ、カード式貸出し装置２に所定度数分の遊技球Ｂの貸出しを指令する為に操作する貸出スイッチ１４ｂ、カード式貸出し装置２に挿入されている球貸カードの返却を指令する為に操作する返却スイッチ１４ｃが設けられている。
【００２１】
図２に示すように、遊技盤５にはレール手段１５である外レール４０と内レール４１がほぼ環状に設けられ、これらレール４０，４１の内側に遊技領域５ａが形成され、発射手段１０により発射された遊技球Ｂは、レール４０，４１により遊技領域５ａに誘導されて投入される。遊技領域５ａには、遊技部品として、多数の障害釘（図示略）や風車の他に、液晶ディスプレイ１６、図柄始動手段１７、可変入賞手段１８、複数の普通入賞手段１９、２つのゲート２０等が、夫々所定の位置に配置されている。
【００２２】
図柄表示手段２１としての液晶ディスプレイ１６は、左右方向に並ぶ３つ（左、中、右）の遊技図柄表示部２２ａ〜２２ｃと、その下側右隅部分に２つの普通図柄表示部２３ａ，２３ｂとを有する。図柄始動手段１７が遊技球Ｂを検出したことを条件に、遊技図柄表示部２２ａ〜２２ｃに、複数の遊技図柄が夫々変動表示（スクロール表示）されて停止し、ゲート２０を遊技球Ｂが通過したことを条件に、普通図柄表示部２３ａ，２３ｂに、複数の普通図柄が夫々変動表示（スクロール表示）されて停止する。
【００２３】
図柄始動手段１７は、開閉自在の左右１対の開閉爪１７ａを備えた電動チューリップであり、前記普通図柄表示部２３ａ，２３ｂに表示される変動停止時の２つの普通図柄の組み合わせが当り（例えば、「７７」）になった場合に、通常閉じている開閉爪１７ａが所定時間だけ開いて、図柄始動手段１７に遊技球Ｂを入賞させ易くする。可変入賞手段１８は開閉板１８ａを備え、遊技者にとってこの開閉板１８ａを開いた有利な第１状態と、開閉板１８ａを閉じた不利な第２状態とに変化可能になっている。通常時、可変入賞手段１８は開閉板１８ａを閉じた第２状態になっており、この第２状態では遊技球Ｂが入賞することがない。
【００２４】
前記遊技図柄表示部２２ａ〜２２ｃに表示される変動停止時の遊技図柄の組合せが特定態様（例えば、「７７７」等）になった場合に、所謂「大当り」と称する利益状態が発生し、可変入賞手段１８は開閉板１８ａを例えば複数回間欠的に開放し、その可変入賞手段１８に遊技球Ｂが入賞し易くなるため、遊技者にとって有利な状態になる。
【００２５】
この利益状態では、可変入賞手段１８を第２状態から第１状態に切換えて、そこに所定数（例えば、１０球）の遊技球Ｂが入賞又は所定時間（例えば、３０秒）経過するまでに特定領域１８ｂに遊技球Ｂが入球すれば、第１状態を継続するラウンドを、最大で所定数ラウンド（例えば、１５ラウンド）繰り返すことにより、可変入賞手段１８に多数の遊技球Ｂを入賞させ、その入賞球数の数倍又は10数倍の数の遊技球Ｂの払戻しを行って遊技者に利益を還元する。尚、遊技盤５の裏側には、このような遊技に関連する制御を司る制御装置が設けられている。
【００２６】
前記発射手段１０と外レール４０と内レール４１について詳細に説明する。
図２に示すように、発射手段１０は、発射ハンドル３０と、発射ハンドル３０の回動操作により駆動される発射モータ３１と、発射モータ３１により回転駆動されるカム体３２と、カム体３２の回転により駆動されて発射球誘導部材３５の右端部上側の打撃位置にセットされた遊技球Ｂを打撃する打撃槌３３を有する。
【００２７】
発射ハンドル３０を操作することにより、上皿８から遊技球Ｂが１個ずつ前記打撃位置に供給され、その遊技球Ｂが打撃槌３３により打撃されて、発射球誘導部材３５に沿って左斜め上側へ発射される。尚、発射ハンドル３０の回動操作角度に応じた打撃力で打撃槌３３により遊技球Ｂを打撃し、遊技球Ｂの発射速度（遊技球Ｂの遊技領域５ａへの投入速度）を調節できるようになっている。
【００２８】
図２〜図４に示すように、発射球誘導部材３５は、発射手段１０で発射された遊技球Ｂをレール手段１５へ誘導する為の部材であり、縦断面Ｍ形に形成されている。この発射球誘導部材３５は導電性部材で構成され、その右端から左方へ斜め上側へ傾斜し、その左端が遊技盤５の下端付近に位置するように、前枠４に固定的に設けた取付部材３９に複数のネジ３５ａにより固定されている。
【００２９】
図２〜図４に示すように、外レール４０と内レール４１は、夫々、レール部４０ａ，４１ａと、レール部４０ａ，４１ａから後方へ突出する複数のピン部４０ｂ，４１ｂとを一体形成した合成樹脂材料で構成されている。遊技盤５には複数のピン穴が形成され、これらピン穴に複数のピン部４０ｂ，４１ｂを圧入することにより、外レール４０と内レール４１が遊技盤５に組付けられている。
【００３０】
外レール４０においては、下端部が発射球誘導部材３５の左側近くにおいてその傾斜方向延長線上付近に位置し、そこから楕円的に右回り方向へ、下端部を０度として約２２５度位置まで延び、その上端部分が遊技盤５の右端部に固定されたガイド部材４９の上部に当接している。内レール４１においては、右端部分が外レール４０の上端部分の下側でガイド部材４９に当接し、そこから略楕円状に右回り方向へ、下端部を０度として約３１５度位置から約１３５度位置まで延びている。外レール４０と内レール４１の約０度位置から約１３５度位置において、これらレール４０，４１の間に球通路４２が形成され、遊技領域５ａ外から発射された遊技球Ｂは、この球通路４２を通って遊技領域５ａに投入される。
【００３１】
発射球誘導部材３５と外レール４０の間には間隙４５が設けられ、発射手段１０で発射された遊技球Ｂが遊技領域５ａまで届かずに失速して戻ってきた場合、その遊技球Ｂが間隙４５から下側に落下して、返還通路４６の開口に受け止められ、その返還通路４６を通って下皿９に返還されるようになっている。この間隙４５があることにより、遊技球Ｂは間隙４５を飛び越えるように、発射球誘導部材３５からジャンプし外レール４０に着地することになる。
【００３２】
尚、返還通路４６の左上側に、入賞等により遊技球Ｂを上皿８に払い戻す為の通路口４７が形成されている。前面板７が開放された場合、この通路口４７は上皿８から分離し、通路口４７の奥側に遊技球Ｂが存在すれば溢れ落ちるが、その下側に溢れ落ちる遊技球Ｂを下皿９に返還する返還通路４８も設けられている。
【００３３】
尚、球通路４２の上端付近に取付けられた球戻り阻止部材４３により、一旦遊技領域５ａに投入された遊技球Ｂが球通路４２に戻らないように阻止し、ガイド部材４９のうち外レール４０の上端部付近に取付けられた球止め緩衝ゴム４４により、遊技領域５ａへの投入速度が速い遊技球Ｂを受け止めて適度に緩衝するようにしてある。尚、ガイド部材４９の左面は円弧状のガイド面が形成され、レール４０，４１に加えてこのガイド面も遊技領域５の形成に寄与している。
【００３４】
図３、図４に示すように、外レール４０のレール部４０ａのうちの発射手段１０で発射された遊技球Ｂが着地する着地点付近の下端側部分に、導電性部材５０が設けられている。前述のように、外レール４０のレール部４０ａとピン部４０ｂは合成樹脂材料で構成され、導電性部材５０はレール部４０の下端側部分の上下両面を被覆するように構成されている。
【００３５】
発射手段１０により発射された遊技球Ｂは、発射球誘導部材３５から飛び出して外レール４０に着地するが、その着地をスムースに行いこれらの間に作用する摩擦・衝撃を軽減するのに限界がある。そして、遊技球Ｂが外レール４０に着地する着地点については、遊技球Ｂの発射速度の違い等によって、レール４０の長さ方向に数cm（例えば、３cm）程度の幅でバラツキがあることは確かであり、導電性部材５０は、このバラツキのある着地点を含むように外レール４０の下端側部分にその長さ方向に所定長さ（例えば、１０cm）に亙って設けられている。
【００３６】
外レール４０への遊技球Ｂの着地に起因して静電気ノイズが発生する虞があるが、この静電気ノイズを導電性部材５０からパチンコ機１の外部へ誘導するノイズ誘導手段５５が、導電性部材５０をアース配線５５ａを介してアースすることで構成されている。また、この導電性部材５０と、導電性部材である発射球誘導部材３５との電位差を軽減する電位差軽減手段５７が、導電性部材５０と発射球誘導部材３５とを等電位配線５７ａを介して接続することで構成されている。
【００３７】
ここで、外レール４０と内レール４１の成形及び遊技盤５への組付けについて説明する。合成樹脂製の外レール４０と内レール４１のレール部４０ａ，４１ａは、夫々射出成形にて遊技領域５ａに応じたサイズと形状に成形され、その際、遊技盤５に形成された複数のピン穴に圧入される複数のピン部４０ｂ，４１ｂも夫々一体成形される。外レール４０においては次に導電性部材５０を取付け、その後、複数のピン部４０ｂ，４１ｂを遊技盤５の複数のピン穴に夫々圧入して、レール４０，４１が遊技盤５に組付けられる。
【００３８】
このパチンコ機１の作用・効果について説明する。
上皿８に遊技球Ｂが収容されている状態で、発射手段１０の発射ハンドル３０を回動操作すると、上皿８から遊技球Ｂが１個ずつ発射球誘導部材３５の打撃位置に供給され、その遊技球Ｂが打撃槌３３により打撃されて、例えば１分間に100 個の割合で遊技球Ｂが発射される。
【００３９】
発射手段１０により発射された各遊技球Ｂは、先ず、発射球誘導部材３５で誘導されその左端部から飛び出し、外レール４０に乗り移って誘導される。遊技球Ｂが外レール４０に着地する着地点については、遊技球Ｂの発射速度の違い等によって、レール４０の長さ方向に数cm程度の幅でバラツキがあるものの、前記導電性部材５０を設けたことにより、遊技球Ｂは全てこの導電性部材５０上に着地することになる。
【００４０】
従って、外レール４０への遊技球Ｂの着地に起因して静電気ノイズが発生しても、ノイズ誘導手段５５により、その静電気ノイズを導電性部材５０からパチンコ機１の外部へ確実に誘導することができるため、放射ノイズも発生しにくくなり、そのノイズが遊技に関連する制御を司る制御装置に悪影響を与えないようにし、制御装置の誤作動を防止して信頼性を高めることが可能になる。
【００４１】
しかも、本実施形態のように、外レール４０と内レール４１を合成樹脂材料で構成した場合に、本発明の作用・効果をより顕著に発揮させることができる。即ち、外レール４０と内レール４１を合成樹脂材料で構成することにより、遊技領域５ａに応じたサイズと形状のレール部４０ａ，４１ａと複数のピン部４０ｂ，４１ｂを一体成形して簡単に構成し、複数のピン部４０ｂ，４１ｂを遊技盤５の複数のピン穴に圧入してレール４０，４１を遊技盤５に簡単に組付けることが可能になる。
【００４２】
外レール４０の下端側部分の上下面を被覆するように導電性部材５０を取り付けたことで、外レール４０の耐久性が低下した場合でも、導電性部材５０により遊技球Ｂの着地点付近の下端側部分を補強することができるので、耐久性を高めることができる。尚、導電性部材５０に傷がついて交換が必要な場合でも、外レール４０全体を交換しなくても、導電性部材５０だけを交換可能に構成でき、これにより、交換作業を容易に行うことができそれに要するコストも軽減可能になる。
【００４３】
発射手段１０で発射された遊技球Ｂを外レール４０へ誘導する発射球誘導部材３５を導電性部材で構成し、この発射球誘導部材３５と外レール４０の導電性部材５０との電位差を電位差軽減手段５７により軽減するので、外レール４０への遊技球Ｂの着地に起因する静電気ノイズの発生を抑制することが可能となる。また、発射球誘導部材３５、又は、発射球誘導部材３５に接触している遊技球Ｂに帯電している静電気を、ノイズ誘導手段５５を介してパチンコ機１の外部へ誘導できるため、この静電気によって生じる悪影響も阻止することができる。
【００４４】
次に、変更形態について説明する。
１〕前記実施形態では、導電性部材５０はレール部４０の上下両面を被覆するように構成されているが、少なくとも、遊技球Ｂが着地するレール部４０の上面にのみ導電性部材５０を被覆して構成してもよい。
２〕導電性部材５０をレール部４０の下端側部分の上下面に被覆して構成するのではなく、発射手段１０で発射された遊技球Ｂが着地する着地点付近のレール部４０の下端側部分を導電性部材５０として構成された別部材としてもよい。
【００４５】
３〕導電性部材として、金属材料で構成された導電性部材だけでなく、導電性樹脂を適用可能である。そうした場合、外レール全体を導電性樹脂により一体成形することが可能になり、外レールの構成及び組付けがより一層簡単になる。
４〕発射球誘導部材３５については、必ずしも導電性部材で構成する必要はなく、また、この発射球誘導部材３５と外レール４０の導電性部材５０との電位差を軽減する電位差軽減手段５７を設けることも必須ではない。
【００４６】
５〕その他、本発明の趣旨を逸脱しない範囲において、前記実施形態に種々変更を加えて実施することが可能であり、上記以外の種々のパチンコ機、更にはアレンジボール機等の種々の遊技機に本発明を適用可能である。
【００４７】
【発明の効果】
請求項１の遊技機によれば、レール手段のレール部のうちの発射手段で発射された遊技球が発射球誘導部材からレール部へ着地する着地点付近の下端側部分に導電性部材を設け、レール手段のレール部への遊技球の着地に起因して静電気ノイズが発生した場合でも、その静電気ノイズをノイズ誘導手段により導電性部材から遊技機外へ誘導することができるため、放射ノイズも発生しにくくなり、そのノイズが遊技に関連する制御を司る制御装置に悪影響を与えないようにすることができる。レール手段を合成樹脂材料で構成したので、レール手段の構成を簡単にして遊技盤への組付けを容易に行い、導電性部材により遊技球の着地点付近のレール部の下端側部分を補強して耐久性を高めることができる。
【００４８】
更に、導電性部材に傷がついて交換が必要な場合でも、導電性部材だけを交換可能に構成で、これにより、交換作業を容易に行うことができそれに要するコストも軽減できる。
【００５０】
請求項２の遊技機によれば、発射手段で発射された遊技球をレール手段へ誘導する発射球誘導部材を導電性部材で構成し、この発射球誘導部材とレール手段のレール部の下端側部分に取り付けた導電性部材との電位差を軽減する電位差軽減手段を設けたので、レール手段への遊技球の着地に起因する静電気ノイズの発生を抑制することが可能となり、また、発射球誘導部材、又は、発射球誘導部材に接触している遊技球に帯電している静電気を、ノイズ誘導手段を介して遊技機外部へ誘導することもでき、この静電気によって生じる悪影響を阻止することもできる。
【図面の簡単な説明】
【図１】本発明の実施形態に係るパチンコ機の斜視図である。
【図２】パチンコ機のガラス扉と前面板を開放した状態の正面図である。
【図３】パチンコ機の要部のレール手段を含む正面図である。
【図４】パチンコ機の要部のレール手段を含む斜視図である。
【図５】従来技術に係るパチンコの機要部のレール手段を含む斜視図である。
【符号の説明】
１              パチンコ機
４              前枠
５              遊技盤
５ａ            遊技領域
１０            発射手段
１５            レール手段
１６            液晶ディスプレイ
１７            図柄始動手段
１８            可変入賞手段
１９            普通入賞手段
２０            ゲート
３５            発射球誘導部材
５０            導電性部材
５５            ノイズ誘導手段
５７            電位差軽減手段
【図１】
0004748870.tif 000002
【図２】
0004748870.tif 000003
【図３】
0004748870.tif 000004
【図４】
0004748870.tif 000005
【図５】
0004748870.tif 000006